(57)【特許請求の範囲】
【請求項１】
コンタクトレンズを収容する窪み部と該窪み部の周囲に形成したフランジ部及び支持部を有する合成樹脂製の容器本体部と、前記窪み部を覆い、アルミ材を有する積層構造又は合成樹脂製の蓋部と、からなるコンタクトレンズ用出荷容器において、
前記蓋部が、前記窪み部内に突出した球面形状を有し、この突出部の曲率半径が前記コンタクトレンズのベースカーブの曲率半径と同一又は大きくなるように形成され、
前記コンタクトレンズの少なくとも周縁部全周が前記蓋部と接するように前記窪み部及び前記蓋部を形成し、
前記フランジ部において前記蓋部と前記容器本体部とを溶着して前記コンタクトレンズを前記蓋部に吸着させることを特徴とするコンタクトレンズ用出荷容器。
【請求項２】
コンタクトレンズを収容する窪み部と該窪み部の周囲に形成したフランジ部及び支持部を有する合成樹脂製の容器本体部と、前記窪み部を覆い、アルミ材を有する積層構造又は合成樹脂製の蓋部と、からなるコンタクトレンズ用出荷容器において、
前記蓋部が、前記窪み部内に突出した形状を有さない平面状をなし、
前記コンタクトレンズの少なくとも周縁部全周が前記蓋部と接するように前記窪み部及び前記蓋部を形成し、
前記フランジ部において前記蓋部と前記容器本体部とを溶着して前記コンタクトレンズを前記蓋部に吸着させることを特徴とするコンタクトレンズ用出荷容器。
【請求項３】
前記蓋部が、該蓋部を開封したときに前記コンタクトレンズの周縁部より下方側に突起部を有することを特徴とする請求項１又は２に記載のコンタクトレンズ用出荷容器。
【請求項４】
前記窪み部が球面形状をなし、該窪み部の曲率半径がコンタクトレンズのフロントカーブの曲率半径より大きくなるように形成されたことを特徴とする請求項１乃至３の何れか一項に記載のコンタクトレンズ用出荷容器。
【請求項５】
前記窪み部の深さが、該窪み部に収納されたコンタクトレンズの中心部から周縁部までの高さに対し、１００％〜２００％となるように形成されたことを特徴とする請求項１、３又は４に記載のコンタクトレンズ用出荷容器。
【請求項６】
請求項１乃至５の何れか一項に記載のコンタクトレンズ用出荷容器において、当該容器同士を積み重ねられるように前記支持部を形成したことを特徴とするコンタクトレンズ用出荷容器。
【発明の詳細な説明】
【技術分野】
【０００１】
本発明は、コンタクトレンズ用出荷容器に関する。詳しくは、開封時の取り出し性及び、保存時の表裏安定性に優れたコンタクトレンズ用出荷容器に関する。
【背景技術】
【０００２】
最近では、コンタクトレンズを市場へ流通する際、個別にコンタクトレンズを包装したブリスター容器が用いられている。
【０００３】
一般的なブリスター容器は、コンタクトレンズとその保存液を収容する半球状の窪み部と、その開口部周辺に広がるフランジ部と、を有する合成樹脂製の本体部と、ポリプロピレンフィルムとアルミ箔の積層物からなる蓋部で構成されており、本体部と蓋部のシールには、加熱又は超音波による溶着方法が用いられている。
【０００４】
しかしながら、従来のブリスター容器は、窪み部の容積が大きいため、容器内におけるコンタクトレンズの安定性が悪く、流通時の取り扱いによっては、容器内でコンタクトレンズの表裏が反転する場合があり、開封後にコンタクトレンズの表裏の判別を行わなければならないためにスムーズな装用ができなかった。
【０００５】
このブリスター容器からコンタクトレンズを取り出す方法として、掌に保存液ごと出したコンタクトレンズを指先で摘む方法があるが、この方法では、コンタクトレンズが流失する危険性を有していると共に、摘み上げる際にコンタクトレンズが折り曲げられるため、レンズの光学特性に悪影響を及ぼしたり、レンズ表面に傷を発生させたりすることが懸念される。また、蓋部を本体部から引き剥がし、ブリスター容器を開封した後に、窪み部に手指を入れて指先でコンタクトレンズをすくい上げる方法も一般的に行われているが、指先ですくい上げ、コンタクトレンズを取り出す過程で、蓋部を本体部から引き剥がす際に発生する溶着部の剥がれ跡にコンタクトレンズが接触する可能性が高く、レンズを傷付ける恐れがある。
【０００６】
コンタクトレンズ表面の傷は、擦り洗い時に破損の原因となったり、そこに汚れが蓄積しやすいことから、装用感や視力補正性の低下を引き起こす原因となったりするため、好ましくない。
【０００７】
さらに、窪み部に手指を入れて指先ですくい上げる方法においては、指ですくい上げる際、装用時に角膜に接するコンタクトレンズのベースカーブ面に手指が接触するため、手指に付着した汚れや細菌によってコンタクトレンズが汚染される恐れがある。特に、手指の洗浄が不十分な場合には、この汚染を原因とした眼疾患を誘発する危険性も懸念される。
【０００８】
そこで、ブリスター容器からのコンタクトレンズの取り出し操作が容易であると共に、収納部の一定の位置にコンタクトレンズを安定的に保存できる収納容器として、収納部の底面にコンタクトレンズの凹面部を受ける凸部を設けると共に、該収納部の周壁を底面側から開口部の方向に向かって拡開するように傾斜させた容器が知られている（特許文献１参照）。
【０００９】
また、容器内におけるコンタクトレンズの安定性を向上させることにより表裏の反転を抑止する方法として、コンタクトレンズとスプリングディスクをコンタクトレンズのカップの深さ（サジタルデプス）よりも浅いブリスター容器の収容空間に、収容シートに挟み込み押圧状態で収納し、開封により押圧されない状態に戻る際にコンタクトレンズを持ち上げるようにしたコンタクトレンズ用パッケージも知られている（特許文献２参照）。
【００１０】
また、コンタクトレンズを封入したブリスター容器を効率的に流通させる方法として、所要個数のブリスター容器を横方向に接合させてパッケージに収納して配送する形態も知られている（特許文献３参照）。さらに、携帯性を向上させる方法として、使用者の必要に応じた任意の数のブリスター容器を、容器同士を嵌め込んで積層するコンタクトレンズ用出荷容器も知られている（特許文献４参照）。
【先行技術文献】
【特許文献】
【００１１】
【特許文献１】特開平１０−３１３９２８号公報
【特許文献２】特開２００５−２５０４９６号公報
【特許文献３】特開平０９−１６９３５７号公報
【特許文献４】特開２００８−１０５７２５号公報
【発明の概要】
【発明が解決しようとする課題】
【００１２】
特許文献１に記載の収容容器は、容器内からコンタクトレンズを摘み上げる方法により取り出されるため、手指によるコンタクトレンズベースカーブ面への接触回数は低減する一方、コンタクトレンズを摘み上げる際に、容器の凸部とコンタクトレンズのベースカーブ面の接触によって傷が生じる可能性があるという問題がある。
【００１３】
また、特許文献２に記載のコンタクトレンズ用パッケージは、コンタクトレンズのカップの深さよりも浅いブリスター容器にコンタクトレンズがスプリングディスクと共に挟み込まれた状態で保存されるため、外部応力によるコンタクトレンズの光学特性への悪影響や形状不良、また、コンタクトレンズのスプリングディスクとの接触部に傷が発生しやすいという、新たな問題が危惧される。
【００１４】
さらに、特許文献２に記載の容器の形態は、省スペース性についても考慮されており、携帯性においても有利であるが、前述のごとく、光学特性への悪影響や形状不良が危惧されるほか、コンタクトレンズの収納空間が極端に浅いため、シートを引き剥がす際に、収納されたコンタクトレンズを落としてしまう恐れもある。
【００１５】
そこで、本願発明者は、コンタクトレンズの取り出し時や収納時の傷の発生を低減すること、及び、レンズの光学特性に悪影響を及ぼさないようにすることが、傷の発生に起因するコンタクトレンズの破損発生や、装用感、視力補正性の低下の抑止に対して重要となると考えた。
【００１６】
また、最近は、一日で使い捨てるタイプのコンタクトレンズが主流となっているため、宿泊を伴う外出の際、使用者は複数個のブリスター容器を携帯することとなるが、一般的な流通スタイルである特許文献３に記載の連結容器は、個別のブリスター容器同士の組み合わせ性については考慮されておらず、携帯性に優れていない。任意の数のブリスター容器を携帯する際の携帯性を向上させるには、ブリスター容器同士の組み合わせ性を工夫することが必要となるが、この場合においても、コンタクトレンズの光学特性への悪影響や形状不良が発生しないようにすることが最も重要である。
【００１７】
特許文献４に記載のコンタクトレンズ用出荷容器は、容器同士を嵌め込んで積層することができ、組み合わせ性が良好で、光学特性に対する悪影響も発生しない一方、容器同士を積層した際の高さが高くなり、省スペース性について改善の余地があった。
【００１８】
そこで、本願発明者は、コンタクトレンズ用出荷容器の窪み部からのコンタクトレンズの取り出しを、レンズに傷を生じさせることなく行うことができ、また、収納時にレンズの光学特性に悪影響を及ぼすことなく、一定の位置にコンタクトレンズを保つことを可能としたコンタクトレンズ用出荷容器を提供することを課題とした。さらに、本願発明者は、使用者が必要に応じた任意の数を安定した状態で携帯できるようにコンタクトレンズ用出荷容器同士の組み合わせ性を考慮し、省スペース性及び携帯性を向上させることも課題とした。
【課題を解決するための手段】
【００１９】
上記課題を解決するために、本願発明者らは、収納時にコンタクトレンズと蓋部内面が接触するように、コンタクトレンズの形状を考慮して、コンタクトレンズ用出荷容器の容器本体部及び蓋部を形成することにより、コンタクトレンズの取り出しを、容器と接触することなく行う方法の開発を試みた。
【００２０】
本発明は、コンタクトレンズを収容する窪み部と該窪み部の周囲に形成したフランジ部及び支持部を有する容器本体部と、前記窪み部を覆う蓋部と、からなるコンタクトレンズ用出荷容器において、前記コンタクトレンズの少なくとも周縁部全周が前記蓋部と接するように前記窪み部及び前記蓋部を形成し、前記コンタクトレンズを前記蓋部に吸着させることを特徴とするコンタクトレンズ用出荷容器を提供するものである。
【００２１】
また、本発明のコンタクトレンズ用出荷容器は、前記蓋部が、前記窪み部内に突出した球面形状を有し、この突出部の曲率半径が前記コンタクトレンズのベースカーブの曲率半径と同一又は大きくなるように形成されたことを特徴とする。
【００２２】
また、本発明のコンタクトレンズ用出荷容器は、前記蓋部が、前記窪み部内に突出した形状を有さない平面状をなすことを特徴とする。
【００２３】
また、本発明のコンタクトレンズ用出荷容器は、前記蓋部が、該蓋部を開封したときに前記コンタクトレンズの周縁部より下方側に突起部を有することを特徴とする。
【００２４】
また、本発明のコンタクトレンズ用出荷容器は、前記窪み部が球面形状をなし、該窪み部の曲率半径がコンタクトレンズのフロントカーブの曲率半径より大きくなるように形成されたことを特徴とする。
【００２５】
また、本発明のコンタクトレンズ用出荷容器は、前記窪み部の深さが、該窪み部に収納されたコンタクトレンズの中心部から周縁部までの高さに対し、１００％〜２００％となるように形成されたことを特徴とする。
【００２６】
また、本発明のコンタクトレンズ用出荷容器は、上記コンタクトレンズ用出荷容器において、当該容器同士を積み重ねられるように前記支持部を形成したことを特徴とする。
【発明の効果】
【００２７】
本発明のコンタクトレンズ用出荷容器は、コンタクトレンズを収容する窪み部と該窪み部の周囲に形成したフランジ部及び支持部を有する容器本体部と、前記窪み部を覆う蓋部と、からなり、前記コンタクトレンズの少なくとも周縁部全周が前記蓋部と接するように前記窪み部及び前記蓋部を形成し、前記コンタクトレンズを前記蓋部に吸着させる構成により、蓋部内面にコンタクトレンズの少なくとも周縁部全周が接することによって発生する陰圧や保存液の表面張力などにより、コンタクトレンズを蓋部内面に吸着させて保存することに特徴がある。
【００２８】
従って、本発明のコンタクトレンズ用出荷容器は、開封時に、コンタクトレンズが蓋部に吸着した状態で容器本体部から簡単に取り出すことができ、レンズ表面に傷が発生することなく、また、容易にコンタクトレンズを取り出すことができる。また、コンタクトレンズは、蓋部内面に吸着して保存されるから、容器内部で一定の位置に保たれることにより、保存時の表裏反転を抑止でき、レンズ装用時の取り扱いの煩雑さを解消することができる。その結果、手指によるコンタクトレンズベースカーブ面への接触がなくなり、レンズの汚染を防止して、この汚染を原因とした眼疾患を軽減することができる効果がある。
【００２９】
また、本発明のコンタクトレンズ用出荷容器は、前記蓋部が、前記窪み部内に突出した球面形状を有し、この突出部の曲率半径が前記コンタクトレンズのベースカーブの曲率半径と同一又は大きくなるように形成されたことにより、蓋部の突出部がコンタクトレンズの少なくとも周縁部全周と接して、コンタクトレンズを蓋部に確実に吸着させることができる効果がある。
【００３０】
また、本発明のコンタクトレンズ用出荷容器は、前記蓋部が、前記窪み部内に突出した形状を有さない平面状をなすことにより、簡易な形状の蓋部とコンタクトレンズの周縁部全周とが接して、簡単な構成でコンタクトレンズを蓋部に吸着させることができる効果がある。
【００３１】
また、本発明のコンタクトレンズ用出荷容器は、前記蓋部が、該蓋部を開封したときに前記コンタクトレンズの周縁部より下方側に突起部を有することにより、蓋部を開封したときに、蓋部に吸着したコンタクトレンズがずれ落ちるのを防止することができる効果がある。
【００３２】
また、本発明のコンタクトレンズ用出荷容器は、前記窪み部が球面形状をなし、該窪み部の曲率半径がコンタクトレンズのフロントカーブの曲率半径より大きくなるように形成されたことにより、コンタクトレンズのフロントカーブ面と窪み部との接触面積が小さくなり、コンタクトレンズが容器本体部に吸着するのを防止して、蓋部に確実に吸着させることができる効果がある。
【００３３】
また、本発明のコンタクトレンズ用出荷容器は、前記窪み部の深さが、該窪み部に収納されたコンタクトレンズの中心部から周縁部までの高さに対し、１００％〜２００％となるように形成されたことにより、コンタクトレンズの周縁部全周が蓋部と接するようにして窪み部に収容することができると共に、容器の高さを低くして安定性を向上することができる効果がある。
【００３４】
また、本発明のコンタクトレンズ用出荷容器は、上記コンタクトレンズ用出荷容器において、当該容器同士を積み重ねられるように前記支持部を形成したことにより、容器同士の積み重ねが容易な構成であるから、省スペース化を達成でき、出荷時や携帯時の利便性を向上することができる効果がある。
【図面の簡単な説明】
【００３５】
【図１】本発明のコンタクトレンズ用出荷容器の第一態様を示す断面図。
【図２】本発明のコンタクトレンズ用出荷容器の第二態様を示す断面図。
【図３】本発明のコンタクトレンズ用出荷容器の第三態様を示す断面図。
【図４】本発明のコンタクトレンズ用出荷容器の第四態様を示す断面図。
【図５】第一態様におけるコンタクトレンズ用出荷容器を積み重ねた状態を示す断面図。
【図６】第三態様におけるコンタクトレンズ用出荷容器を積み重ねた状態を示す断面図。
【図７】（ａ）第一態様において蓋部に突起部を付した態様を示す断面図。            （ｂ）第一態様において蓋部に突起部を付した態様を示す正面図。
【図８】図７のコンタクトレンズ用出荷容器を開封した状態を示す断面図。
【発明を実施するための形態】
【００３６】
本発明に係るコンタクトレンズ用出荷容器は、コンタクトレンズ５を収容する窪み部１と該窪み部１の周囲に形成したフランジ部２及び支持部３を有する容器本体部と、前記窪み部１を覆う蓋部４と、からなり、前記コンタクトレンズ５の少なくとも周縁部１０全周が前記蓋部４と接するように前記窪み部１及び前記蓋部４を形成し、前記コンタクトレンズ５を前記蓋部４に吸着させることを特徴とする。
【００３７】
本願発明者らは、流通の際に用いるブリスター容器からコンタクトレンズ５を取出す際の簡便性を改善すべくブリスター容器の態様と、開封時に生じる接着部の剥がれ跡による悪影響の低減に着眼した。
【００３８】
本願発明は、窪み部１に収容されたコンタクトレンズ５の周縁部１０の全周が蓋部４に接するように、窪み部１及び蓋部４を形成して、蓋部４とコンタクトレンズ５で囲まれた空間に発生する陰圧によって、コンタクトレンズ５を蓋部４に吸着させることを特徴とするものである。
【００３９】
容器の蓋部４は、熱伝導率の高いアルミ材を有するため、蓋部４を容器本体部にヒートシールする際、蓋部４とコンタクトレンズ５で囲まれた空間の温度は窪み部１内で最も高くなり、この空間に存在する保存液及び気体は熱膨張する。保存液及び気体は、やがて室温まで空冷され、空冷により生じる保存液及び気体の熱収縮により、蓋部４とコンタクトレンズ５で囲まれた空間に陰圧が発生し、コンタクトレンズ５は蓋部４に吸着することとなる。
【００４０】
また、蓋部４に通常用いられるアルミ材の厚みは、０．１ｍｍ以下と極めて薄いため、ヒートシールの際に蓋部４自体も熱膨張しやすく、空冷による蓋部４の熱収縮も蓋部４とコンタクトレンズ５で囲まれた空間に陰圧を発生させる一つの要因となる。
【００４１】
なお、蓋部４とコンタクトレンズ５の吸着の要因は、陰圧に限られるものではなく、窪み部１内にコンタクトレンズ５と共に収容される保存液の表面張力や各素材の親水性などの影響も受け得ると考えられる。
【００４２】
以下に、本発明を更に具体的に明らかにするために、本発明の実施形態について、図面を参照しつつ詳細に説明する。
【００４３】
本コンタクトレンズ用出荷容器は、コンタクトレンズ５とその保存液を収容する球面形状の窪み部１と、この窪み部１の開口部周辺に広がるフランジ部２と、支持部３を有する容器本体部と、窪み部１を覆う蓋部４と、で構成されたブリスター容器である。
【００４４】
蓋部４の形状は、コンタクトレンズ５の形状と窪み部１の深さに基づいて決定される。蓋部４は、できる限り高い陰圧を発生させて、コンタクトレンズ５の吸着性を向上させるために、図１に示すように、窪み部１内に突出した球面形状を有していることが好ましい。なお、蓋部４の形状は、コンタクトレンズ５の少なくとも周縁部１０全周が蓋部４と接して、蓋部４の内面にコンタクトレンズ５を吸着できるように形成されていればよく、通常のブリスター容器の蓋部４のように平面形状でもよい。
【００４５】
蓋部４の突出部の形状は、蓋部４の内面とコンタクトレンズ５の少なくとも周縁部１０全周において接するように形成されたことにより、コンタクトレンズ５と蓋部４を効果的に且つ均一に接することを可能とし、平面形状の場合より高い陰圧を発生させることができる。
【００４６】
また、蓋部４の突出部の曲率半径は、コンタクトレンズ５のベースカーブの曲率半径と同一又は大きくなるような球面形状に形成することにより、吸着性が向上することから好ましい。好ましい蓋部４の突出部の曲率半径は、コンタクトレンズ５のベースカーブの曲率半径に対して、１００％〜１５０％に形成されていることであり、より好ましくは１００％〜１２５％である。
【００４７】
蓋部４とコンタクトレンズ５の吸着力は、蓋部４とコンタクトレンズ５で囲まれた空間に発生する陰圧のみならず、コンタクトレンズ５のフロントカーブと窪み部１の空間に生じる外部圧力の影響も受ける。本コンタクトレンズ用出荷容器において、外部圧力とは、窪み部１内の保存液がコンタクトレンズ５のフロントカーブを押す圧力であり、コンタクトレンズ５のフロントカーブと保存液との接触面積が広いほど圧力は大きくなる。すなわち、容器本体部の窪み部１の形状は、外部圧力の強弱に影響を及ぼすこととなる。コンタクトレンズ５の周縁部全周が蓋部４に効果的且つ均一に接するためには、上記外部圧力がコンタクトレンズ５の全面に対して均一に作用することが好ましい。容器本体部は、窪み部１内においてコンタクトレンズ５が一定の位置に保たれるように窪み部１を形成することで、外部圧力は均一に作用する。
【００４８】
容器本体部は、窪み部１の形状を球面形状とすることで、コンタクトレンズ５は自重により、コンタクトレンズ中心部９が窪み部１の最深部である中心部９に接して、安定して保持することができる。
また、窪み部１は、コンタクトレンズ５を最深部に安定して保持するように、球面形状の曲率半径をコンタクトレンズ５のフロントカーブの曲率半径よりも大きくなるように形成していることが好ましい。すなわち、窪み部１の曲率半径は、コンタクトレンズ５のフロントカーブの曲率半径に対して、１０１％〜１７５％に形成されていることが好ましく、１０５％〜１５０％に形成されていることがより好ましい。この構成により、容器本体部は、コンタクトレンズ５のフロントカーブ面と窪み部１との接触面積が小さくなり、コンタクトレンズ５が容器本体部に吸着するのを防止して、蓋部４に確実に吸着させることができる。
【００４９】
本コンタクトレンズ用出荷容器において、蓋部４は、開封時に、蓋部４の全体が取り除き可能な一体のシート構造により形成されたシートタイプ、又は、窪み部１の開口部のみが取り除き可能なプルトップ構造により形成されたプルトップタイプにより形成される。図１〜４に示す容器は、蓋部４がシートタイプのものである。図中の８は、フィルム溶着部であり、通常のブリスター容器と同様に、窪み部１周辺のフランジ部２において蓋部４と容器本体部とを溶着することにより密閉される。
【００５０】
蓋部４は、ポリプロピレンフィルムとアルミ箔の積層物で形成してある。蓋部４は、ポリプロピレンとアルミ箔の積層物、又は、容器本体部と同一の合成樹脂で形成してあることが好ましく、前者は押圧成形によることが好ましく、後者は射出成型によることが好ましい。蓋部４と容器本体部との接合方法には、熱溶着、超音波溶着、高周波溶着などの通常のプラスチックの溶着方法を用いることが好ましく、材質によっては接着剤や溶剤による接着方法を用いてもよい。接合方法は、蓋部４とコンタクトレンズ５で囲まれた空間に陰圧を効率よく発生することができ、コンタクトレンズ５を蓋部４に確実に吸着させることができるから、熱溶着を用いることが最も好ましい。
【００５１】
本発明の容器に用いる合成樹脂は、コンタクトレンズ５と保存液を封入した後に滅菌工程を行う必要があるので、オートクレーブ滅菌に耐えうる程度の耐熱性や耐薬品性を有するものが好ましい。一般的には、ポリエチレン、ポリプロピレン、脂環式ポリオレフィン、ポリエチレンテレフタレート、ポリブチレンテレフタレート、ポリカーボネート、熱可塑性エラストマー等が挙げられる。本容器には、例えば、容器本体部と蓋部４に同一の合成樹脂を用いると成型加工の点で好ましい。また、本容器は、容器本体部及び蓋部４のいずれか一方に熱可塑性エラストマー等の柔軟性のある樹脂を用いると、容器同士の嵌め込みが容易となる利点がある。さらに、本容器は、耐熱性を有する生分解性の樹脂を使用することで、使用後の廃棄処理を容易にするという利点も得られる。
【００５２】
本コンタクトレンズ用出荷容器において、蓋部４内面へコンタクトレンズ５を効果的に吸着させるためには、窪み部１の周縁位置１１から、窪み部１の内壁側中心部９までの深さｃと、コンタクトレンズ５の周縁部１０から、コンタクトレンズ５の中心部９までのカップの深さ（サジタルデプス）ｄとの関係性が重要となる。蓋部４内面へコンタクトレンズ５を効果的に吸着するためには、ｃ／ｄの値が１００％〜２００％となるように設計することが好ましく、１２５％〜１７５％となるように設計することがより好ましい。ｃ／ｄの値が１００％未満となった場合は、コンタクトレンズ５の周縁部１０が、窪み部１の周縁位置１１よりも高くなってしまうため、蓋部４を容器本体部に接合する際に、コンタクトレンズ５を押しつぶした状態で窪み部１内において保持することとなり、レンズの光学的特性へ悪影響を及ぼすことが懸念される。一方、ｃ／ｄの値が２００％を超えた場合は、窪み部１の深さが深くなり、支持部３の長さも長くなりすぎて、容器の安定性が低下するために好ましくない。
【００５３】
なお、ｃ／ｄの値が１００％、すなわち、コンタクトレンズ５の周縁部１０と、窪み部１の周縁位置１１が同じ高さになる場合は、図３に示すように、蓋部４が窪み部１内に突出しない平面形状であったとしても、コンタクトレンズ５を蓋部４に吸着させることが可能である。この場合、コンタクトレンズ５は、蓋部４と周縁部１０で周接して吸着する。
【００５４】
以下、実施例によって本発明を具体的に説明するが、これらは本発明を限定するものではない。
【００５５】
［容器の第一態様］
図１は、本発明のコンタクトレンズ用出荷容器の第一態様を示す断面図である。図１に示す容器本体部は、コンタクトレンズ５とその保存液を収容する球面形状の窪み部１と、この窪み部１の開口部周辺に広がるフランジ部２と、該フランジ部２に連設した支持部３を両端に有する。また、図１に示す容器は、蓋部４が窪み部１内に突出した形状を有し、２箇所の支持部設置部１２と、窪み部１の外壁側中心部７との３箇所において設置され、容器本体部が傾かずに支持されるように形成されている。なお、図１に示す容器は、２箇所の支持部設置部１２のみにおいて設置され、容器本体部が傾かずに支持されるように形成されていてもよい。すなわち、この容器は、窪み部１の周縁位置１１から外壁中心部７までの深さａと、支持部３の高さｂの関係が、ａ≦ｂであることが好ましい。
【００５６】
また、本コンタクトレンズ用出荷容器は、蓋部４内面の最先端部６と、窪み部１の最深部（窪み部外壁側中心部）７を垂直方向で一致させることにより、窪み部１内での保存中におけるコンタクトレンズ５の位置安定性を最も向上させることが可能となる。また、本容器は、このように形成することにより、効果的且つ均一にコンタクトレンズ５を蓋部４の内面に押圧することができる。
【００５７】
図５は、第一態様におけるコンタクトレンズ用出荷容器を積み重ねた状態を示す断面図である。容器本体部は、支持部３をフランジ部２から先端部に向かって外側に広げて形成し、容器本体部を積み重ね可能にしてある。また、本容器は、蓋部４が窪み部１内に突出した形状を有するから、蓋部４に他の容器の窪み部１を嵌入可能な凹部が形成される。従って、本容器は、この凹部に他の容器の窪み部１を嵌入させることにより、積み重ねて使用した際の高さを低くし省スペースで収納することが可能となる。
【００５８】
支持部３は、先端部を下方に向けて形成してあり、支持部３の先端が他の容器の支持部３に当接して、容器の間隔を既定するように構成してある。このように、本容器は、容器を積み重ねて携帯する際に、支持部３を支持点として容器が支持されるように形成されていることが好ましい。本容器において、容器本体部の窪み部１と蓋部４の凹部とで容器を支持するように形成した場合には、下側の容器の蓋部４は上側の容器の重さにより押圧され、コンタクトレンズ５と蓋部４が周接することにより発生する陰圧が弱まり、蓋部４にコンタクトレンズ５が吸着され難くなる。
【００５９】
本コンタクトレンズ用出荷容器は、携帯の際に積み重ねて使用できる。安定性を考慮した場合、ブリスター容器を水平平面に置いた場合に、容器本体が傾いて支持されないように形成されていることが好ましい。
【００６０】
［容器の第二態様］
図２は、本発明のコンタクトレンズ用出荷容器の第二態様を示す断面図である。図２に示す容器本体部は、コンタクトレンズ５とその保存液を収容する球面形状の窪み部１と、この窪み部１の開口部周辺に広がるフランジ部２と、該フランジ部２に連設した支持部３を片端に有する。容器本体部は、支持部３を片端にのみ有する場合、支持部接地部１２と、窪み部１の最深部（窪み部外壁側中心部）７との２箇所において設置され、容器本体部が傾かずに支持されるように形成されている。すなわち、この容器は、窪み部１の周縁位置１１から外壁中心部７までの深さａと、支持部３の高さｂの関係が、ａ＝ｂである。本容器の他の構成は、第一態様と同様である。
【００６１】
［容器の第三態様］
図３は、本発明のコンタクトレンズ用出荷容器の第三態様を示す断面図である。本コンタクトレンズ用出荷容器は、蓋部４が窪み部１内に突出した形状を有さない平面状をなすと共に、窪み部１の深さｃを、コンタクトレンズ５のカップの深さｄに等しくなるように形成してある。本容器は、コンタクトレンズ５を、蓋部４と周縁部１０で周接して吸着する。
【００６２】
図３に示す容器本体部は、コンタクトレンズ５とその保存液を収容する球面形状の窪み部１と、この窪み部１の開口部周辺に広がるフランジ部２と、該フランジ部２に連設した支持部３を両端に有する。本容器は、蓋部４が水平な平面形状となるように、２箇所の支持部設置部１２において設置され、容器本体部が傾かずに支持されるように形成されている。すなわち、この容器は、窪み部１の周縁位置１１から外壁中心部７までの深さａと、支持部３の高さｂの関係が、ａ<ｂである。なお、この容器は、容器同士を積重ねない場合には、ａ＝ｂの関係に形成してもよい。
【００６３】
図６は、第三態様におけるコンタクトレンズ用出荷容器を積み重ねた状態を示す断面図である。容器本体部は、支持部３をフランジ部２から先端部に向かって外側にやや広げた形状とし、容器本体部を積み重ね可能にしてある。本容器は、容器本体部の窪み部１を蓋部４に嵌入することはできないが、支持部３を外側に広げた形状とすることにより、組み合わせ性が向上し、積み重ねて使用した際の省スペース性を達成できる。なお、図６の実施例では、支持部３の先端が他の容器の支持部３に当接して既定される容器の間隔を、窪み部１の深さａに一致させて、容器の間隔を最小にしてある。
【００６４】
［容器の第四態様］
図４は、本発明のコンタクトレンズ用出荷容器の第四態様を示す断面図である。図４に示す容器本体部は、コンタクトレンズ５とその保存液を収容する球面形状の窪み部１と、この窪み部１の開口部周辺に広がるフランジ部２と、該フランジ部２に連設した支持部３を両端に有する。支持部３は、それぞれ異なる高さに形成してあり、容器本体部を水平平面に置いた際に傾いて支持される。本容器は、２箇所の支持部設置部１２において設置され、支持されるように形成してもよく、２箇所の支持部設置部１２と、窪み部１の外壁側中心部７との３箇所において容器本体を支持するように形成してもよい。
【００６５】
この容器は、窪み部１の周縁位置１１から外壁中心部７までの深さａ、ａ'と、支持部３の高さｂの関係が、ａ'<ａ<ｂである。この容器は、容器を多数積み重ねた場合に、他の形状と比べて安定性が低下するため、少数を持ち運ぶのに適している。この容器は、ａ'とａの差、及び、ａとｂの差を小さくなるように形成することで、積み重ねた際の安定性を向上することが可能である。本容器の他の構成は、第一態様と同様である。
【００６６】
［第一態様の変形例］
図７（ａ）は、第一態様の容器において蓋部４に突起部１３を付した態様を示す断面図であり、図７（ｂ）は、その正面図である。図８は、本態様のコンタクトレンズ用出荷容器を開封した状態を示す断面図である。
【００６７】
蓋部４は、開封片（図示しない）の反対側で、蓋部４を開封した際にコンタクトレンズ５の周縁部１０より下方側に、内面方向に突出する突起部１３を有する。蓋部４は、突起部１３を有することで、蓋部４の内面に吸着したコンタクトレンズ５がずれ落ちるのを防止することが可能となる。この突起部１３の形状及びサイズは、コンタクトレンズ５のずれ落ちを抑止できる程度であればよく、特に制限はない。
【実施例】
【００６８】
以下、本発明を実施例により説明するが、本発明はかかる実施例のみに限定されるものではない。
【００６９】
本発明のコンタクトレンズ用出荷容器の第一態様及び第三態様において、コンタクトレンズ５のベースカーブ及びフロントカーブ、蓋部４の突出部並びに窪み部１は、表１に示す曲率半径で作製し、窪み部１の深さは、表１に示す深さ（コンタクトレンズ５のカップ深さ（サジタルデプス）に対する比率で表している）で作製した。また、比較例には、現在市場に流通しているブリスター容器（シード社製／シード  ２ｗｅｅｋ  Ｐｕｒｅ）を使用した。
【００７０】
表１は、実施例１，２及び比較例について、各々１００サンプルに対する蓋部４へのコンタクトレンズ５の吸着枚数と、窪み部１内でのコンタクトレンズ５の表裏反転枚数を示したものである。表１の評価結果は、従来のブリスター容器では吸着枚数が０であったのに対し、本発明のコンタクトレンズ用出荷容器では１００％近い確率でコンタクトレンズ５が蓋部４に吸着していることを示している。
【００７１】
また、表１の最下欄には、実施例１，２及び比較例について、各々のブリスター容器を１０個積み重ねたときの高さを示している。表１の評価結果は、本発明のコンタクトレンズ用出荷容器では、従来のブリスター容器に対して、積重ね高さが半分以下になることを示している。
【００７２】
【表１】
0005694744.tif 000002
【符号の説明】
【００７３】
１  窪み部
２  フランジ部
３  支持部
４  蓋部
５  コンタクトレンズ
６  蓋部内面の最先端部
７  窪み部最深部（窪み部外壁側中心部）
８  フィルム溶着部
９  コンタクトレンズ中心部（窪み部内壁側中心部）
１０  コンタクトレンズ周縁部
１１，１１'  窪み部周縁位置
１２  支持部設置部
１３  蓋部内面突起部
ａ，ａ'  窪み部周縁位置からの窪み部の深さ（外壁側）
ｂ  支持部の高さ
ｃ  窪み部周縁位置からの窪み部の深さ（内壁側）
ｄ  コンタクトレンズの深さ
【図１】
0005694744.tif 000003
【図２】
0005694744.tif 000004
【図３】
0005694744.tif 000005
【図４】
0005694744.tif 000006
【図５】
0005694744.tif 000007
【図６】
0005694744.tif 000008
【図７】
0005694744.tif 000009
【図８】
0005694744.tif 000010